(57)【要約】【課題】ネットワークを介して取得される画像データを最適な解像度で出力させることを可能とする。【解決手段】画像形成装置１０１は、携帯端末１０２から画像データの出力指示を受信すると、当該画像形成装置１０１の機種に応じた画像取得要求をサーバ１０３に送信する。サーバ１０３は、画像取得要求に基づき当該画像形成装置１０１の機種に応じた解像度の画像データを画像形成装置１０１に送信し、画像形成装置１０１にて当該画像データを出力させる。【選択図】　図１
2004013835.tif 000002
【特許請求の範囲】
【請求項１】
外部装置と通信可能な画像形成装置であって、
第１外部装置から画像データの出力指示を受信する出力指示受信手段と、
前記出力指示受信手段により受信された出力指示に含まれる情報に所定の変換処理を施す変換手段と、
前記変換手段による変換処理後の情報に基づいて、出力指示された画像データに対応する、前記画像形成装置に応じた画像データの取得要求を第２外部装置に送信する画像取得要求手段と、
前記取得要求に基づき前記第２外部装置から送信される画像データを受信する画像データ受信手段と、
前記画像データ受信手段にて受信される前記画像データを出力する画像データ出力手段とを有することを特徴とする画像形成装置。
【請求項２】
前記画像取得要求手段は、前記変換手段による変換処理後の情報に基づいて、前記画像形成装置に応じた画像データを前記第２外部装置に送信させるために、前記変換手段による変換処理後の情報を含む前記取得要求を前記第２外部装置に対して送信することを特徴とする請求項１記載の画像形成装置。
【請求項３】
前記画像データ受信手段は、前記取得要求に基づいて前記第２外部装置から送信される、前記画像形成装置に応じたサイズの画像データを受信することを特徴とする請求項１記載の画像形成装置。
【請求項４】
前記取得要求手段は、前記第２外部装置が当該画像形成装置に応じた画像データのサイズを識別可能とする情報を含む前記取得要求を、前記第２外部装置に対して送信することを特徴とする請求項３記載の画像形成装置。
【請求項５】
前記取得要求に含まれる前記情報は、ＵＲＬ（Ｕｎｉｆｏｒｍ　Ｒｅｓｏｕｒｃｅ　Ｌｏｃａｔｏｒ）であることを特徴とする請求項２又は４記載の画像形成装置。
【請求項６】
前記ＵＲＬは、前記画像形成装置に応じた画像データのサイズを指定するためのパラメータを含むことを特徴とする請求項５記載の画像形成装置。
【請求項７】
外部装置から当該外部装置に応じた画像取得要求を受信する取得要求受信手段と、
前記取得要求受信手段にて受信する前記画像取得要求に基づいて、前記外部装置に応じた画像データを前記外部装置に送信する画像データ送信手段とを有することを特徴とする情報管理装置。
【請求項８】
前記画像データ送信手段は、前記外部装置に応じた変換処理がなされた前記画像取得要求に基づいて、前記外部装置に対応する画像データを送信することを特徴とする請求項７記載の情報管理装置。
【請求項９】
前記画像データ送信手段は、前記画像取得要求に基づいて前記外部装置に対応したサイズの画像データを送信することを特徴とする請求項７記載の情報管理装置。
【請求項１０】
前記画像取得要求は、前記外部装置の機種に応じた変換処理がなされたＵＲＬ（Ｕｎｉｆｏｒｍ　Ｒｅｓｏｕｒｃｅ　Ｌｏｃａｔｏｒ）を含み、前記画像データ送信手段は、前記ＵＲＬ上で示される情報に基づいて、前記外部装置に対応する画像データを送信することを特徴とする請求項８記載の情報管理装置。
【請求項１１】
前記画像取得要求は、ＵＲＬ（Ｕｎｉｆｏｒｍ　Ｒｅｓｏｕｒｃｅ　Ｌｏｃａｔｏｒ）を含み、前記画像データ送信手段は、前記ＵＲＬ上で示される前記外部装置に対応する画像データのサイズに基づいて、前記外部装置に対応したサイズの画像データを送信することを特徴とする請求項９記載の情報管理装置。
【請求項１２】
前記取得要求受信手段にて受信する前記画像取得要求に基づいて前記外部装置を判断する判断手段を有し、
前記画像データ送信手段は、前記判断手段による判断結果に応じて、前記外部装置に対応した画像データを送信することを特徴とする請求項７記載の情報管理装置。
【請求項１３】
前記判断手段は、前記画像取得要求に含まれるヘッダ情報に基づいて前記外部装置を判断することを特徴とする請求項１２記載の情報管理装置。
【請求項１４】
請求項１〜６の何れか１項に記載の画像形成装置と、請求項７〜１３の何れか１項に記載の情報管理装置とを有することを特徴とする画像形成システム。
【請求項１５】
外部装置と通信可能な画像形成装置による画像形成方法であって、
第１外部装置から画像データの出力指示を受信するステップと、
前記受信した出力指示に含まれる情報に変換手段にて所定の変換処理を施すステップと、
前記変換手段による変換処理後の情報に基づいて、出力指示された画像データに対応する、前記画像形成装置に応じた画像データの取得要求を画像取得要求手段にて第２外部装置に送信するステップと、
前記取得要求に基づき前記第２外部装置から送信される画像データを受信するステップと、
前記受信した前記画像データを画像データ出力手段にて出力するステップとを含むことを特徴とする画像形成方法。
【請求項１６】
外部装置から当該外部装置に応じた画像取得要求を取得要求受信手段にて受信するステップと、
前記取得要求受信手段にて受信する前記画像取得要求に基づいて、前記外部装置に応じた画像データを前記外部装置に画像データ送信手段から送信するステップとを含むことを特徴とする画像データ送信方法。
【請求項１７】
第１外部装置から画像データの出力指示を受信するステップと、
前記受信した出力指示に含まれる情報に変換手段にて所定の変換処理を施すステップと、
前記変換手段による変換処理後の情報に基づいて、出力指示された画像データに対応する、前記画像形成装置に応じた画像データの取得要求を画像取得要求手段にて第２外部装置に送信するステップと、
前記取得要求に基づき前記第２外部装置から送信される画像データを受信するステップと、
前記受信した前記画像データを画像データ出力手段にて出力するステップとをコンピュータに実行させるためのプログラム。
【請求項１８】
外部装置から当該外部装置に応じた画像取得要求を取得要求受信手段にて受信するステップと、
前記取得要求受信手段にて受信する前記画像取得要求に基づいて、前記外部装置に応じた画像データを前記外部装置に画像データ送信手段から送信するステップとをコンピュータに実行させるためのプログラム。
【請求項１９】
請求項１７又は１８記載のプログラムを記録したことを特徴とする記録媒体。
【発明の詳細な説明】
【０００１】
【発明の属する技術分野】
本発明は、ネットワークを介して画像データが取得され、その画像データが最適な解像度で出力されるための画像形成装置、情報管理装置、画像形成システム、画像形成方法、画像データ送信方法、プログラム及び記録媒体に関するものである。
【０００２】
【従来の技術】
近年、携帯電話のような携帯端末分野における技術開発が進行し、携帯端末からインターネットに接続し、様々なサービスを受けることが可能となっている。その一例として、地図検索サービスがある。これは、携帯電話から所望の地域や住所などを入力し、地図検索サーバに送信することにより、指定した場所の地図データを取得し、携帯電話の画面に地図画像を表示するものである。
また、このような携帯電話に表示された画像をプリントする場合、２つの方式が考えられる。
【０００３】
一つは、プリントするデータをすべてクライアント側に持ち、データを直接プリンタに送信するものである（ＰＵＳＨ型）。もう一つは、プリントするデータはネットワーク上のドキュメントサーバに保存し、クライアントは、プリンタに対してデータのＵＲＬのみを送信し、プリンタが、指定されたＵＲＬからデータを受信してプリントするものである（ＰＵＬＬ型）。この２つの方式を比較すると、ＰＵＬＬ型の場合、クライアントは実際にプリントするデータを自分のメモリに持たなくてよいため、一般のＰＣと比較して大容量メモリを持つ構成が難しい携帯端末などでも、容易に大量データをプリントすることができるという利点がある。
【０００４】
【発明が解決しようとする課題】
しかしながら、携帯電話用のサービスにおいては、表示される画面も携帯電話用に調整されている。例えば地図の画像の場合、ＰＣのブラウザなどで表示させる画像データよりも、画質を落とし、画像のデータサイズを小さくすることが一般に行われている。また、携帯電話の画面自体、ＰＣのディスプレイと比較すると大変小さく、当然表示できる領域も小さくなってしまう。そのため、携帯電話で表示させた地図画像のＵＲＬをプリンタに送信し、ＰＵＬＬ型のプリントを行った場合、プリンタ自体は高解像度でＡ４サイズの用紙へのプリント能力があったとしても、携帯電話で表示させた解像度、画面の大きさでプリントされてしまうという問題があった。
【０００５】
本発明は、上記問題点に鑑みてなされたものであり、ネットワークを介して取得される画像データを最適に出力させることを可能とする画像形成装置、情報管理装置、画像形成システム、画像形成方法、画像データ送信方法、プログラム及び記録媒体を提供することを目的とする。
【０００６】
【課題を解決するための手段】
かかる目的を達成するために、本発明の第１の態様である画像形成装置は、外部装置と通信可能な画像形成装置であって、第１外部装置から画像データの出力指示を受信する出力指示受信手段と、前記出力指示受信手段により受信された出力指示に含まれる情報に所定の変換処理を施す変換手段と、前記変換手段による変換処理後の情報に基づいて、出力指示された画像データに対応する、前記画像形成装置に応じた画像データの取得要求を第２外部装置に送信する画像取得要求手段と、前記取得要求に基づき前記第２外部装置から送信される画像データを受信する画像データ受信手段と、前記画像データ受信手段にて受信される前記画像データを出力する画像データ出力手段とを有することを特徴とする。
【０００７】
また、本発明の第２の態様である情報管理装置は、外部装置から当該外部装置に応じた画像取得要求を受信する取得要求受信手段と、前記取得要求受信手段にて受信する前記画像取得要求に基づいて、前記外部装置に応じた画像データを前記外部装置に送信する画像データ送信手段とを有することを特徴とする。
【０００８】
また、本発明の第３の態様である画像形成システムは、本発明の第１の態様である前記画像形成装置と、本発明の第２の態様である前記情報管理装置とを有することを特徴とする。
【０００９】
また、本発明の第４の態様である画像形成方法は、外部装置と通信可能な画像形成装置による画像形成方法であって、第１外部装置から画像データの出力指示を受信するステップと、前記受信した出力指示に含まれる情報に変換手段にて所定の変換処理を施すステップと、前記変換手段による変換処理後の情報に基づいて、出力指示された画像データに対応する、前記画像形成装置に応じた画像データの取得要求を画像取得要求手段にて第２外部装置に送信するステップと、前記取得要求に基づき前記第２外部装置から送信される画像データを受信するステップと、前記受信した前記画像データを画像データ出力手段にて出力するステップとを含むことを特徴とする。
【００１０】
また、本発明の第５の態様である画像データ送信方法は、外部装置から当該外部装置に応じた画像取得要求を取得要求受信手段にて受信するステップと、前記取得要求受信手段にて受信する前記画像取得要求に基づいて、前記外部装置に応じた画像データを前記外部装置に画像データ送信手段から送信するステップとを含むことを特徴とする。
【００１１】
また、本発明の第６の態様であるプログラムは、第１外部装置から画像データの出力指示を受信するステップと、前記受信した出力指示に含まれる情報に変換手段にて所定の変換処理を施すステップと、前記変換手段による変換処理後の情報に基づいて、出力指示された画像データに対応する、前記画像形成装置に応じた画像データの取得要求を画像取得要求手段にて第２外部装置に送信するステップと、前記取得要求に基づき前記第２外部装置から送信される画像データを受信するステップと、前記受信した前記画像データを画像データ出力手段にて出力するステップとをコンピュータに実行させることを特徴とする。
【００１２】
また、本発明の第７の態様であるプログラムは、外部装置から当該外部装置に応じた画像取得要求を取得要求受信手段にて受信するステップと、前記取得要求受信手段にて受信する前記画像取得要求に基づいて、前記外部装置に応じた画像データを前記外部装置に画像データ送信手段から送信するステップとをコンピュータに実行させることを特徴とする。
【００１３】
さらに、本発明の第８の態様である記録媒体は、本発明の第６又は第７の態様であるプログラムを記録したことを特徴とする。
【００１４】
【発明の実施の形態】
以下、本発明の実施形態を添付図面を参照しながら詳細に説明する。
【００１５】
＜第１の実施形態＞
先ず、本発明の第１の実施形態について説明する。図１は、本発明の第１の実施形態及び後述する第２の実施形態に適用可能な画像形成システムの構成例を示したブロック図である。
【００１６】
画像形成装置１０１はインターネットに接続され、サーバ１０３と通信可能である。サーバ１０３は、後述するように地図検索サービスを提供しており、携帯端末１０２から検索条件を受信し、条件に合致する地図画像を携帯端末１０２に送信することが可能である。尚、第１及び第２の実施形態において携帯端末とは、インターネット接続機能を備えた携帯電話であるものとする。
【００１７】
また、画像形成装置１０１は携帯端末１０２から、プリントアウトしたい画像やドキュメントデータのＵＲＬ（Ｕｎｉｆｏｒｍ　Ｒｅｓｏｕｒｃｅ　Ｌｏｃａｔｏｒ）を受信し、そのＵＲＬで指定されるデータをインターネットを介して受信して用紙に印字する、プルプリント機能を備えている。ここで、携帯端末１０２から画像形成装置にプリントデータのＵＲＬを送信する手段の一例としてＢｌｕｅｔｏｏｔｈのような無線インターフェースを使用することが可能である。
【００１８】
図２は、本発明の第１及び第２の実施形態に係る画像形成装置の構成を示したブロック図である。なお、ここでは、レーザビームプリンタを例にして説明する。図２のプリンタ２００において、１２はプリンタＣＰＵ（ＣＰＵ）で、ＲＯＭ１３のプログラム用ＲＯＭに記憶された制御プログラム等あるいは外部メモリ１４に記憶された制御プログラム等に基づいてシステムバス１５に接続される各種のデバイスとのアクセスを総括的に制御し、印刷部インタフェース１６を介して接続される印刷部（プリンタエンジン）１７に出力情報としての画像信号を出力する。
【００１９】
また、このＲＯＭ１３のプログラム用ＲＯＭには、図９、図１２のフローチャートで示されるようなＣＰＵ１２が実行可能な制御プログラム等を記憶する。さらに、ＲＯＭ１３のフォント用ＲＯＭには上記出力情報を生成する際に使用するフォントデータ（アウトラインフォントデータを含む）等を記憶し、ＲＯＭ１３のデータ用ＲＯＭにはハードディスク等の外部メモリ１４が無いプリンタの場合には、ホストコンピュータ上で利用される情報等を記憶している。
【００２０】
ＣＰＵ１２はネットワークインターフェース部１８を介してネットワーク上のホストコンピュータとの通信処理、また無線通信インターフェース部２１を介して無線通信可能な携帯端末等との通信処理が可能となっている。
【００２１】
１９はＲＡＭで、主としてＣＰＵ１２の主メモリ，ワークエリア等として機能し、図示しない増設ポートに接続されるオプションＲＡＭによりメモリ容量を拡張することができるように構成されている。なお、ＲＡＭ１９は、出力情報展開領域，環境データ格納領域，ＮＶＲＡＭ等に用いられる。前述したハードディスク（ＨＤ），ＩＣカード等の外部メモリ１４は、ディスクコントローラ（ＤＫＣ）２０によりアクセスが制御される。外部メモリ１４は、オプションとして接続され、フォントデータ、エミュレーションプログラム、フォームデータ等を記憶する。
【００２２】
また、２０１は操作パネルで、操作のためのスイッチおよびＬＥＤ表示器等が配されている。また、前述した外部メモリは、１個に限らず、少なくとも１個以上備え、内蔵フォントに加えてオプションフォントカード，言語系の異なるプリンタ制御言語を解釈するプログラムを格納した外部メモリを複数接続できるように構成されていても良い。さらに、図示しないＮＶＲＭを有し、操作パネル２０１からのプリンタモード設定情報をユーザ別，グループ別に記憶するようにしても良い。
【００２３】
図３は携帯端末１０２からサーバ１０３が提供する地図検索サービスに接続した際の画面である。ここでは、駅名による検索、建物による検索、郵便番号による検索が可能である。なお、図示していないが、携帯端末１０２は画面に表示された項目を選択するためのカーソルボタンや、選択された項目を決定するための決定ボタンを持っており、ユーザは画面に表示された項目から所望の項目を選択し決定することが可能である。また、項目の下のアンダーラインはその項目が現在選択されている状態であることを示している。この画面から、「駅名」を選択し、決定ボタンを押下すると図４の画面が表示される。ここで駅名入力領域４０１に所望の駅名を入力し、「検索実行」を選択して決定ボタンを押下すると、サーバ１０３に対し入力した駅名を条件とした地図データ取得要求が送信される。サーバ１０３は要求された要求された駅を含む地図データを携帯端末１０２に送信し、図５のように携帯端末１０２の画面に地図画像が表示される。
【００２４】
次に、サーバ１０３が地図データ取得要求を受信した際に処理について説明する。サーバ１０３は、携帯端末のように高解像度の画像を必要としない端末用に低解像度地図データ、および、パーソナルコンピュータ用に高解像度地図データとの２つの異なる地図データを有している。また、本実施形態においては、サーバ１０３が有する２つの地図データのＵＲＬは単純な規則で相互に変換可能となっている。具体的には、例えば高解像度地図データにおける東京駅周辺の地図のＵＲＬがｈｔｔｐ：／／ａａａ．ｃｏｍ／ｍａｐ／ｔｏｋｙｏ．ｇｉｆであった場合、低解像度地図データにおける東京駅周辺のＵＲＬは、サーバのホスト名の直後に“／ｉ”を挿入した、ｈｔｔｐ：／／ａａａ．ｃｏｍ／ｉ／ｍａｐ／ｔｏｋｙｏ．ｇｉｆとなるような形式で２つの地図データを保持している。
【００２５】
図６はサーバ１０３の地図データ取得要求受信時のフローチャートである。まず、サーバ１０３は地図データ取得要求を受信すると（Ｓ６０１）、その要求が携帯端末から来たものかどうかを判別する（Ｓ６０２）。その判別方法の一例は以下のようなものである。携帯端末とサーバとの間の通信はＲＦＣ２６１６で定義されるＨＴＴＰ（Ｈｙｐｅｒ　Ｔｅｘｔ　Ｔｒａｎｓｆｅｒ　Ｐｒｏｔｏｃｏｌ）プロトコルが使用される。
【００２６】
ＨＴＴＰにおいては、リクエストを送信する際にヘッダーとして、送信者の情報を含めることが可能であり、この情報は携帯端末の場合とＰＣの場合とで異なる。そこで、要求を受信したサーバ側で、このヘッダーを解析することにより、判別処理を行うことが可能となる。Ｓ６０２により、携帯端末からの要求であると判別された場合は、低解像度地図データを使用して応答データを生成し（Ｓ６０３）、生成したデータを送信する（Ｓ６０４）。一方Ｓ６０２でＰＣからの要求であると判別された場合は、高解像度地図データを使用して応答データを生成し（Ｓ６０５）、生成したデータを送信する。
【００２７】
次に、図５のように携帯端末上に表示された地図データを、画像形成装置１０１でプリントする際の処理を説明する。図５において、「プリント」を選択し、決定ボタンを押下すると、図７のようなプリント確認画面が表示される。この図７において、ユーザは領域７０１にプリントしたい部数を入力することが可能である。その後「実行」を選択し、決定ボタンを押下することで、画像形成装置１０１にプリント指示を行う。プリント指示の際には、携帯端末１０２から画像形成装置１０１に対し、図８のようなプリント指示データが送信される。その際に携帯端末と画像形成装置との間で使用される通信手段は、一例としてＢｌｕｅｔｏｏｔｈなどの無線通信を使用するものとする。また、ここでＵＲＬとして、現在携帯端末の画面上で表示している地図画像のＵＲＬが設定される。
【００２８】
図９は、画像形成装置１０１が携帯端末からのプリント指示を受信した際の処理を示すフローチャートである。ここでは、サーバ１０３による画像データ送信処理の他の例を挙げて説明する。画像形成装置１０１はプリント指示を受信すると（Ｓ９０１）、指定されたデータのＵＲＬを一定の規則に基づいて変換する。本実施形態においては、サーバ１０３が有する低解像度地図データのＵＲＬから高解像度地図データのＵＲＬとの間に前述したような変換規則が存在しているので、ここでは、指定されたＵＲＬからホスト名の直後の”／ｉ”を取り除く（Ｓ９０２）。その後、サーバ１０３に対し、変換後のＵＲＬで指定されるデータを要求する（Ｓ９０３）。サーバ１０３からは変換後のＵＲＬで指定される高解像度地図データが送信され、画像形成装置１０１が受信する（Ｓ９０４）。続いて、受信したデータを印刷部インターフェース１６に送信し、領域７０２で指定された部数をプリントする（Ｓ９０５）。
【００２９】
＜第２の実施形態＞
次に、本発明の第２の実施形態について説明する。本実施形態においては、サーバ１０３は地図データは１つだけを有している。また、地図検索サービスを受ける携帯端末やＰＣは地図データの要求の際に、希望の画像サイズをパラメータとしてサーバ１０３に送信することが可能であり、サーバ１０３は、受信したパラメータに基づき指定されたサイズの画像データを送り返す機能を有している。具体的には、例えば東京駅周辺の地図のＵＲＬが「ｈｔｔｐ：／／ａａａ．ｃｏｍ／ｍａｐ／ｔｏｋｙｏ．ｇｉｆ」であった場合、要求する地図データのＵＲＬとして「ｈｔｔｐ：／／ａａａ．ｃｏｍ／ｍａｐ／ｔｏｋｙｏ．ｇｉｆ？ｓｉｚｅ＝１２８，１２８」を送信することにより、サーバは東京駅周辺の地図データを１２８ｘ１２８ドットのサイズで切り出し、送り返す。ここで、ｓｉｚｅの値を変更することで、任意のサイズを指定することが可能である。
【００３０】
携帯端末上からの地図データ検索手順は第１の実施形態における図３〜図５と同じである。ここで、図５から「プリント」を選択し、決定ボタンを押下すると、図１０のような画面が表示される。ここでは、第一の実施形態での画面に加え、プリントする紙サイズを入力する領域１００２が存在し、ユーザがこの領域に所望の紙サイズを入力することが可能である。この画面からユーザが「実行」を選択し、決定ボタンを押下すると、携帯端末１０２から画像形成装置１０１に対し、図１１のようなコマンドが送信される。
【００３１】
図１２は、画像形成装置１０１が携帯端末からのプリント指示を受信した際の処理を示すフローチャートである。画像形成装置１０１はプリントコマンドを受信すると（Ｓ１２０１）、指定された紙サイズから最適な画像サイズを求める（Ｓ１２０２）。ここでは一例として、あらかじめ紙サイズごとに画像サイズを定めたテーブルを保持しており、Ａ４サイズであれば５１２ｘ５１２ドットであるものとする。その後、サーバ１０３に対し、画像サイズをパラメータとして画像データを要求し（Ｓ１２０３）、所望のサイズの地図データを受信する（Ｓ１２０４）。続いて、受信したデータを印刷部インターフェース１６に送信し、領域１００２で指定された部数をプリントする（Ｓ１２０５）。
【００３２】
このように、上記本発明の実施形態によれば、携帯端末などからＰｕｌｌＰｒｉｎｔ指示を受けた画像形成装置がデータのＵＲＬを変換し、サーバからデータを受信してプリントすることが可能となり、携帯端末上での画面表示にとらわれず、高解像度や大きな画像サイズでのプリント出力を得ることが可能となる。
【００３３】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３４】
この場合、記憶媒体から読み出されたプログラムコード自体が前述した実施形態の機能を実現することになり、そのプログラムコードを記憶した記憶媒体は本発明を構成することになる。
【００３５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００３６】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【００３７】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００３８】
【発明の効果】
以上の説明から明らかなように、本発明によれば、画像形成装置が第１外部装置から画像データの出力指示を受けたとき、当該画像形成装置は自らに対応した画像データを出力することが可能となる。例えば、画像形成装置の解像度が第１外部装置の解像度より高い場合にはより鮮明な画像が出力されることになり、当該画像形成装置にとって最適な画像出力を得ることができる。
【図面の簡単な説明】
【図１】本発明の一実施形態に適用可能な画像形成システムの構成例を示したブロック図である。
【図２】本発明の一実施形態に係る画像形成装置の構成を示したブロック図である。
【図３】本発明の一実施形態に係るサーバが提供する地図検索サービスによって携帯端末上で表示される画面の一例を示した図である。
【図４】本発明の一実施形態に係るサーバが提供する地図検索サービスによって携帯端末上で表示される画面の一例を示した図である。
【図５】本発明の一実施形態に係るサーバが提供する地図検索サービスによって携帯端末上で表示される画面の一例を示した図である。
【図６】本発明の一実施形態に係るサーバの地図データ取得要求受信時における処理の流れを示したフローチャートである。
【図７】本発明の第１の実施形態におけるプリント確認画面の一例を示した図である。
【図８】本発明の第１の実施形態におけるプリント指示データの構成例を示した図である。
【図９】本発明の第１の実施形態に係る画像形成装置が携帯端末からのプリント指示を受信した際の処理の流れを示したフローチャートである。
【図１０】本発明の第２の実施形態におけるプリント確認画面の一例を示した図である。
【図１１】本発明の第２の実施形態におけるプリント指示データの構成例を示した図である。
【図１２】本発明の第２の実施形態に係る画像形成装置が携帯端末からのプリント指示を受信した際の処理の流れを示したフローチャートである。
【符号の説明】
１０１　画像形成装置
１０２　携帯端末
１０３　サーバ
１２　ＣＰＵ
１３　ＲＯＭ
１５　システムバス
１６　印刷部インタフェース
１７　プリンタエンジン
１８　ネットワークインタフェース
１９　ＲＡＭ
２０　ＤＫＣ
２１　無線通信インタフェース
２４　不揮発性メモリ
２００　プリンタ
２０１　操作パネル
【図１】
2004013835.tif 000003
【図２】
2004013835.tif 000004
【図３】
2004013835.tif 000005
【図４】
2004013835.tif 000006
【図５】
2004013835.tif 000007
【図６】
2004013835.tif 000008
【図７】
2004013835.tif 000009
【図８】
2004013835.tif 000010
【図９】
2004013835.tif 000011
【図１０】
2004013835.tif 000012
【図１１】
2004013835.tif 000013
【図１２】
2004013835.tif 000014